(57)【要約】【課題】切除領域を切り離し易い封筒を提供する。【解決手段】封筒１は、少なくとも一辺に開口部３が形成されて郵便物等が入れられる袋状本体２と、袋状本体２から延伸して開口部３を封緘する蓋片４と、開口部３に沿う構成にされると共に袋状本体２と蓋片４との境界部に形成される折り目部５と、折り目部５の谷に沿って取付けられた綿製の糸６と、折り目部５の略中央に切離し可能に形成されると共に、袋状本体２と蓋片４に及ぶ構成とされる略円形の切除領域７と、袋状本体２と蓋片４とを接着させるための、蓋片４に取付けられた粘着テープ１０と、粘着テープ１０を保護するための、粘着テープ１０上に取付けられた離形紙１１とを備える。【選択図】図１
2010137884.tif 000002
【特許請求の範囲】
【請求項１】
少なくとも一辺に開口部が形成された袋状本体と、
該袋状本体から延伸して前記開口部を封緘する蓋片と、
前記開口部に沿う構成にされると共に前記袋状本体と該蓋片との境界部に形成される折り目部と、
該折り目部の谷に沿って取付けられた線状部材と、
前記折り目部の略中央に切離し可能に形成されると共に、前記袋状本体と前記蓋片に及ぶ構成とされる切除領域とを備える
封筒。
【請求項２】
前記袋状本体と前記切除領域との境界線、及び前記蓋片と前記切除領域との境界線には、ミシン目とスリットが形成される
請求項１に記載の封筒。
【請求項３】
前記スリットは、前記折り目部から一番離れた位置に形成される
請求項２に記載の封筒。
【請求項４】
前記切除領域は、略円形である
請求項１〜３のいずれか１つに記載の封筒。
【請求項５】
前記線状部材は糸である
請求項１〜４のいずれか１つに記載の封筒。
【発明の詳細な説明】
【技術分野】
【０００１】
本発明は封筒に関する。詳しくは、手で簡単に開封できる封筒に係るものである。
【背景技術】
【０００２】
一般的に、ハサミ、ナイフあるいはカッター等を使用して封筒を開封しているが、ハサミ、ナイフあるいはカッター等は、開封しようとする者の近くにいつもあるわけではなく、その場合、手によって開封している。
【０００３】
しかし、どの箇所から開封すればよいか迷う場合もあり、封筒を裏返して、封筒の隅を摘んで開封しようとしても、容易には開封できない。
そこで、封筒に開封用の切れ目あるいはＶ字型のノッチ等が形成されているが、真っ直ぐに開封することが極めて困難であるため、開封途中から横に曲がってしまい、相変わらず開封に不便さがあった。
【０００４】
そこで、特許文献１には、図４に示すような封筒が記載されている。即ち、特許文献１には、折り目の内側に沿って綿製の線材１０３が張り渡され、線材１０３の少なくとも両端を折り目内側隅部で止着し、止着箇所を含む封筒隅部に円弧状の切除片１０４が形成され、切除片１０４を分断穴１０４ａに沿って破断させて分断した後、線材１０３で一辺を切断することで折り目に沿って切断して開封する構造を有し、分断穴１０４ａを跨いで分断方向を示す矢印を点字として判読できる、開口縁を表面に隆起させた印穴１０５でもって形成し、指触で開封方向がわかるようにした封筒１０１が記載されている。
【０００５】
【特許文献１】特許第４０３９５７３号公報
【発明の開示】
【発明が解決しようとする課題】
【０００６】
しかしながら、特許文献１に記載の封筒は、封筒隅部に切除片を形成しているので、切除片を封筒から切り離しにくく、特に封筒が角２号のように大きなものであったり、洋封筒であったりすると、切り離しにくさは顕著であるという問題があった。
【０００７】
本発明は、以上の点に鑑みて創案されたものであり、切除領域を切り離し易い封筒を提供することを目的とする。
【課題を解決するための手段】
【０００８】
上記の目的を達成するために、本発明の封筒は、少なくとも一辺に開口部が形成された袋状本体と、該袋状本体から延伸して前記開口部を封緘する蓋片と、前記開口部に沿う構成にされると共に前記袋状本体と該蓋片との境界部に形成される折り目部と、該折り目部の谷に沿って取付けられた線状部材と、前記折り目部の略中央に切離し可能に形成されると共に、前記袋状本体と前記蓋片に及ぶ構成とされる切除領域とを備える。
【０００９】
ここで、折り目部の略中央に切離し可能に形成されると共に、袋状本体と蓋片に及ぶ構成とされる切除領域によって、折り目部の略中央に切離し可能に形成されているので、バランスよく切除領域に指の力を加えることができる。
【００１０】
また、本発明の封筒において、袋状本体と切除領域との境界線、及び蓋片と切除領域との境界線には、ミシン目とスリットが形成されることが好ましい。
【００１１】
また、本発明の封筒において、スリットは、折り目部から一番離れた位置に形成されることが好ましい。
【００１２】
また、本発明の封筒において、切除領域は、略円形である場合、指先の丸みと適合し、指先の力を均等に切除領域に加えることができる。
【００１３】
また、本発明の封筒において、線状部材は糸であることが好ましい。
【発明の効果】
【００１４】
本発明に係る封筒は、切除領域を切り離し易い。
【発明を実施するための最良の形態】
【００１５】
以下、本発明の実施の形態について図面を参照しながら説明し、本発明の理解に供する。
図１は、本発明の封筒の一例を説明する概略背面図であり、図２は、本発明の封筒の一例を説明する概略正面図である。図中、同じ符号は同じ部材を示す。
本発明の封筒１は、少なくとも一辺に開口部３が形成されて郵便物等が入れられる袋状本体２と、袋状本体２から延伸して開口部３を封緘する蓋片４と、開口部３に沿う構成にされると共に袋状本体２と蓋片４との境界部に形成される折り目部５と、折り目部５の谷に沿って取付けられた綿製の糸（線状部材の一例である。）６と、折り目部５の略中央に切離し可能に形成されると共に、袋状本体２と蓋片４に及ぶ構成とされる略円形の切除領域７と、袋状本体２と蓋片４とを接着させるための、蓋片４に取付けられた粘着テープ１０と、粘着テープ１０を保護するための、粘着テープ１０上に取付けられた離形紙１１とを備える。
【００１６】
また、袋状本体２と切除領域７との境界線、及び蓋片４と切除領域７との境界線には、ミシン目８とスリット９が形成されている。
また、スリット９は、折り目部５から一番離れた位置に形成されている。
また、袋状本体２に及ぶ切除領域７の面積と、蓋片４に及ぶ切除領域７の面積とは略同じである。
【００１７】
また、図１や図２に示す本発明の封筒１の折り目部５には、ミシン目等の切断孔は形成されていないが、糸６によって円滑に切断できるように、折り目部５にミシン目等を形成することが好ましい。
【００１８】
また、線状部材として綿製の糸を用いているので、糊が付きやすく、また環境にもやさしい。
【００１９】
また、本発明の封筒が、少なくとも一辺に開口部が形成された袋状本体と、袋状本体から延伸して開口部を封緘する蓋片と、開口部に沿う構成にされると共に袋状本体と蓋片との境界部に形成される折り目部と、折り目部の谷に沿って取付けられた線状部材と、折り目部の略中央に切離し可能に形成されると共に、袋状本体と蓋片に及ぶ構成とされる切除領域とを備えるのであれば、本発明の封筒は、必ずしも粘着テープを備えていなくてもよいが、粘着テープがあれば、封緘し易いので好ましい。
【００２０】
また、本発明の封筒が、少なくとも一辺に開口部が形成された袋状本体と、袋状本体から延伸して開口部を封緘する蓋片と、開口部に沿う構成にされると共に袋状本体と蓋片との境界部に形成される折り目部と、折り目部の谷に沿って取付けられた線状部材と、折り目部の略中央に切離し可能に形成されると共に、袋状本体と蓋片に及ぶ構成とされる切除領域とを備えるのであれば、必ずしも切除領域は略円形でなくてもよく、例えば、三角形や四角形であってもよいが、略円形であれば、指先の丸みと適合し、指先の力を均等に切除領域に加えることができるので好ましい。
【００２１】
また、本発明の封筒が、少なくとも一辺に開口部が形成された袋状本体と、袋状本体から延伸して開口部を封緘する蓋片と、開口部に沿う構成にされると共に袋状本体と蓋片との境界部に形成される折り目部と、折り目部の谷に沿って取付けられた線状部材と、折り目部の略中央に切離し可能に形成されると共に、袋状本体と蓋片に及ぶ構成とされる切除領域とを備えるのであれば、必ずしも袋状本体と切除領域との境界線、及び蓋片と切除領域との境界線に、ミシン目とスリットの２種類が形成されていなくてもよく、例えばミシン目のみ、若しくはスリットのみが形成されていてもよい。
【００２２】
図３は、本発明の封筒の開封手順を説明する概略図である。
図３（ａ）に示すように、切除領域７を指で摘み、切除領域７を封筒１の表側若しくは裏側へ押す、これにより、ミシン目８及びスリット９に沿って切除領域７が封筒１から切り離される。
次に、図３（ｂ）に示すように、切除領域７を上方へ引っ張ることで、糸６も引っ張られ、上方へ引っ張られる糸６によって封筒１の折り目部が切断される。
そして、図３（ｃ）に示すように、折り目部を全て切断して、封筒１の開口部が形成された一辺が開封されて、封筒１の中から郵便物１２を取出す。
【００２３】
以上のように、本発明の封筒は、折り目部の略中央に切離し可能に形成された切除領域を備えているので、バランスよく切除領域に指の力を加えることができ、よって、封筒が角２号のように大きなものであったり、洋封筒であったりしても、切除領域を切り離し易く、手で容易に開封することができる。
【００２４】
また、切除領域は略円形なので、指先の丸みと適合し、指先の力を均等に切除領域に加えることができ、より一層、切除領域を切り離し易い。
【図面の簡単な説明】
【００２５】
【図１】本発明の封筒の一例を説明する概略背面図である。
【図２】本発明の封筒の一例を説明する概略正面図である。
【図３】本発明の封筒の開封手順を説明する概略図である。
【図４】従来の封筒の一例を説明する概略図である。
【符号の説明】
【００２６】
１    封筒
２    袋状本体
３    開口部
４    蓋片
５    折り目部
６    糸
７    切除領域
８    ミシン目
９    スリット
１０    粘着テープ
１１    離形紙
１２    郵便物
【図１】
2010137884.tif 000003
【図２】
2010137884.tif 000004
【図３】
2010137884.tif 000005
【図４】
2010137884.tif 000006